(57)【要約】【課題】選択可能なメニューの数を把握することができず、どのあたりに所望のメニューが存在するか見当がつかない。そのため、メニューを高速にスクロールさせると、所望のメニューを見過ごすことがよくあり、その結果、所望のメニューの選択を完了するまでに長時間を要することがあるなどの課題があった。【解決手段】メニュー選択ローラの表示角度の変更を受け付ける。【選択図】図１
2007095096.tif 000002
【特許請求の範囲】
【請求項１】
複数の上位メニューを表す表示を環状に配置して同一画面内に表示する表示部と、
操作されることによって、環状配置された複数の上記上位メニューを表す各表示を循環表示させる選択部とを備え、
上記表示部は、上記上位メニューを表す表示の１つが選択可能である旨を示す表示とし、
上記選択部は、選択可能な上記上位メニューが選択されると、全ての上記上位メニューを表す表示の少なくとも一部分を表示させるとともに、選択された上記上位メニューに対応する下位メニューを表す表示を上記表示部に表示させることを特徴とする携帯機器。
【請求項２】
選択可能な上位メニューを表す表示は、環の短経と交わる接点を含む位置に表示されることを特徴とする請求項１記載の携帯機器。
【請求項３】
選択可能な上位メニューを表す表示の表示領域は、他の上位メニューを表す表示の表示領域より大きいことを特徴とする請求項１記載の携帯機器。
【請求項４】
下位メニューを表す表示を表示しているときの当該下位メニューに対応する上位メニューを表す表示は、環の短経と交わる接点を含む位置に表示されることを特徴とする請求項１記載の携帯機器。
【請求項５】
下位メニューを表す表示を表示しているときの当該下位メニューに対応する上位メニューを表す表示の表示領域は、他の上位メニューを表す表示の表示領域より大きいことを特徴とする請求項１記載の携帯機器。
【発明の詳細な説明】
【技術分野】
【０００１】
この発明は、複数のメニューを表示して、任意のメニューの選択を受け付ける携帯情報端末及びメニュー表示方法に関するものである。
【背景技術】
【０００２】
従来の携帯電話機などの携帯情報端末では、受話音量やマナーボタンを設定する場合、図１３に示すようなメニュー選択画面をディスプレイに表示する。
しかし、携帯情報端末のディスプレイは小さいため、メニューの数が多い場合には、ユーザがディスプレイに表示中のメニューを上下方向にスクロールさせることにより、所望のメニューを表示させて選択する。図１３の例では、５個のメニューが同時表示されるので、メニューが６個以上ある場合には、所望のメニューを選択する際、メニューをスクロールさせる必要がある。
【０００３】
ただし、ディスプレイ上では、選択可能なメニューの数を把握することができず、どのあたりに所望のメニューが存在するか見当がつかないため、メニューを高速にスクロールさせると、所望のメニューを見過ごすことがよくあり、その結果、所望のメニューの選択を完了するまでに長時間を要することがある。
そこで、メニューを選択する際、所望のメニューの見過ごしを防止するため、メニューのスクロール速度を適宜制御する技術が特開平１１−９５９６８号公報に開示されているが、所望のメニューがディスプレイに表示されていないときも、スクロール速度が遅くなるので、所望のメニューの選択を必ずしも早めることができない。
【発明の開示】
【発明が解決しようとする課題】
【０００４】
従来の携帯情報端末は以上のように構成されているので、選択可能なメニューの数を把握することができず、どのあたりに所望のメニューが存在するか見当がつかない。そのため、メニューを高速にスクロールさせると、所望のメニューを見過ごすことがよくあり、その結果、所望のメニューの選択を完了するまでに長時間を要することがあるなどの課題があった。
【０００５】
この発明は上記のような課題を解決するためになされたもので、選択可能なメニューの数を把握することができる携帯情報端末及びメニュー表示方法を得ることを目的とする。
また、この発明は、各メニュー間の階層関係を把握することができる携帯情報端末及びメニュー表示方法を得ることを目的とする。
また、この発明は、現在動作中のアプリケーションを容易に把握することができる携帯情報端末及びメニュー表示方法を得ることを目的とする。
さらに、この発明は、相互に関連性が認められるファイルを容易に把握することができる携帯情報端末及びメニュー表示方法を得ることを目的とする。
【課題を解決するための手段】
【０００６】
この発明に係る携帯機器は、複数の上位メニューを表す表示を環状に配置して同一画面内に表示する表示部と、操作されることによって、環状配置された複数の上記上位メニューを表す各表示を循環表示させる選択部とを備え、上記表示部は、上記上位メニューを表す表示の１つが選択可能である旨を示す表示とし、上記選択部は、選択可能な上記上位メニューが選択されると、全ての上記上位メニューを表す表示の少なくとも一部分を表示させるとともに、選択された上記上位メニューに対応する下位メニューを表す表示を上記表示部に表示させるものである。
【発明の効果】
【０００７】
この発明によれば、所望のメニューの見過ごしを防止することができるという効果を奏し、メニューの見易さを高めることができるという効果を奏し、選択部により受け付けられたメニューを容易に確認することができるという効果を奏し、各メニュー間の階層関係を容易に把握することができるという効果を奏する。
【発明を実施するための最良の形態】
【０００８】
以下、この発明の実施の一形態を説明する。
実施の形態１．
図１はこの発明の実施の形態１による携帯情報端末を示す構成図であり、図において、１は複数のメニューがロール状に配置されたメニュー選択ローラをディスプレイ２に３次元表示する表示部、２は携帯電話機などの携帯情報端末のディスプレイである。なお、表示部１及びディスプレイ２から表示手段が構成されている。
【０００９】
３は表示部１により３次元表示されているメニュー選択ローラを回転させて任意のメニューの選択を受け付ける選択部（選択手段）、４は表示部１により３次元表示されるメニュー選択ローラの表示角度を変更する角度変更部（角度変更手段）、５は表示部１により３次元表示されるメニュー選択ローラの表示倍率を変更する倍率変更部（倍率変更手段）である。
図２はこの発明の実施の形態１によるメニュー表示方法を示すフローチャートである。
【００１０】
次に動作について説明する。
ユーザが電話帳登録やマナーボタンを設定する場合、メニュー選択に係るキーを操作すると（ステップＳＴ１）、表示部１が携帯情報端末のディスプレイ２にメニュー選択画面を表示する（ステップＳＴ２）。
【００１１】
メニュー選択画面は、図３に示すように、複数のメニューがロール状に配置されたメニュー選択ローラを３次元表示するものである。図３の例では、メニュー選択ローラの正面が若干左方向を向くように設定されているため、メニュー選択ローラの背面の一部がディスプレイ２に表示されている。
【００１２】
なお、メニュー選択ローラの表示角度は、ユーザが表示角度に係るキーを操作すると（ステップＳＴ３）、角度変更部４が表示部１を制御して変更処理を実施する（ステップＳＴ４）。因みに、３次元仮想空間を実現するＶＲＭＬ（Ｖｉｒｔｕａｌ  Ｒｅａｌｉｔｙ  Ｍｏｄｅｌｉｎｇ  Ｌａｎｇｕａｇｅ）の技術を適用することが可能な３Ｄグラフィック表示デバイスを用いて表示部１を構成すれば、メニュー選択ローラの表示角度を簡単に変更することができる。
【００１３】
ユーザがメニュースクロールに係るキーを操作すると（ステップＳＴ５）、選択部３が３次元表示されているメニュー選択ローラを水車のように回転させて、所望のメニューを選択する処理を実行する（ステップＳＴ６）。
この際、メニュー選択ローラの正面だけでなく、背面の一部もディスプレイ２に表示されるので、選択可能なメニューの個数を把握することができる。したがって、ユーザが所望のメニューを表示させるに当たって、どの程度回転させればよいか見当が付くので、メニュー選択ローラの回転に伴う所望のメニューの見過ごしを防止することができる。
【００１４】
なお、ユーザが表示倍率に係るキーを操作すると、倍率変更部５が表示部１を制御してメニュー選択ローラの表示倍率を変更する処理を実施する。即ち、メニュー選択ローラを手前にズームしたり、遠くに離して小さくしたりすることができる。
【００１５】
ここで、図４はメニュー選択時におけるメニュー選択画面の変化を示す説明図である。例えば、図４（ａ）のように選択部３が「マナー」の選択を受け付けると、表示部１が図４（ｂ）のように「マナー」をズーム表示するようにする。これにより、選択部３により受け付けられたメニューを容易に確認することができる。
【００１６】
また、図５は選択部３が任意のメニューの選択を受け付けて上位のメニューから下位のメニューに移行する際の表示状態の遷移を示す図である。
まず、図５（ａ）に示すように、複数の上位のメニューがロール状に配置された上位メニュー選択ローラから「メール」が選択された場合、図５（ｂ）に示すように、上位メニュー選択ローラの中から同軸の下位メニュー選択ローラが出現する。下位メニュー選択ローラには、「メール」に対応した下位のメニューがロール状に配置されている。この下位メニュー選択ローラが軸方向に移動して、図５（ｃ）に示すように、上位メニュー選択ローラと下位メニュー選択ローラとが並列に配置される。
【００１７】
このように、表示部１が、メニューが移り変わる様子を表示することにより、各メニュー間の階層関係を容易に把握することができる。
なお、ディスプレイ２には、図５（ｃ）のように、上位メニュー選択ローラと下位メニュー選択ローラとの両方を表示させてもよく、上位メニュー選択ローラの一部分と下位メニュー選択ローラの全体とを表示させてもよい。たとえ、上位メニュー選択ローラの一部分しか表示されない場合であっても、利用者には上位メニューが存在することが視覚的に解るので、メニューの階層間の移動が容易になり、使い勝手が向上する。
【００１８】
図６も図５と同様に、選択部３が任意のメニューの選択を受け付けて上位のメニューから下位のメニューに移行する際の表示状態の遷移を示す図である。
まず、図６（ａ）に示すように、上位のメニューがロール状に配置された上位メニュー選択ローラから「電話帳」が選択されると、図６（ｂ）に示すように、「電話帳」を含む短冊状ブロックが上位メニュー選択ローラから分離して、短冊状ブロックと上位メニュー選択ローラとが横に並ぶ。
【００１９】
次に、図６（ｃ）に示すように、この短冊状ブロックを一辺とする下位のメニューの一覧表がディスプレイ２の面方向に広がり、矩形状の下位のメニュー表示エリアが形成される。そして、図６（ｄ）に示すように、短冊状ブロックの表示が「５０音検索」に切り替わり、メニュー表示エリアには、下位のメニューである「ア行」「カ行」「サ行」…が表示される。このように、表示部１が、メニューが移り変わる様子を表示することにより、各メニュー間の階層関係を容易に把握することができる。
【００２０】
以上で明らかなように、この実施の形態１によれば、メニュー選択ローラの表示角度の変更を受け付けるように構成したので、選択可能なメニューの数を把握することができるようになり、その結果、所望のメニューの見過ごしを防止することができる効果を奏する。
【００２１】
実施の形態２．
上記実施の形態１では、メニュー選択ローラの正面にのみメニューの内容を表示するものについて示したが、図７に示すように、メニュー選択ローラをスケルトン表示にして、あるメニューの奥側に位置するメニューの内容を可視化するようにしてもよい。
これにより、メニュー選択ローラをどの程度回転させれば、所望のメニューを選択することができるかを把握することができるので、メニュー選択ローラの回転に伴う所望のメニューの見過ごしを確実に防止することができる効果を奏する。
【００２２】
実施の形態３．
上記実施の形態１，２では、文字化されたメニューをロール状に配置してメニュー選択ローラを３次元表示するものについて示したが、図８に示すように、図形化されたメニュー（アイコン）をロール状に配置してメニュー選択ローラを３次元表示するようにしてもよく、上記実施の形態１，２と同様の効果を奏することができる。
【００２３】
実施の形態４．
上記実施の形態１〜３では、メニュー選択ローラの表示角度の変更を受け付けるものについて示したが、複数のメニューを画面上に３次元配置する際、図９に示すように、上位のメニューから順次画面の手前側に配置して、下位のメニューを画面の奥側に配置するようにしてもよい。その際、複数のメニューをスケルトン表示にして、上位のメニューの奥側に位置する下位のメニューの内容を可視化するようにする。
これにより、各メニュー間の階層関係を把握することができるとともに、現在、どのレベルの選択処理を実施しているのかを把握することができる効果を奏する。
【００２４】
実施の形態５．
上記実施の形態４では、上位のメニューから順次画面の手前側に配置して、下位のメニューを画面の奥側に配置するものについて示したが、さらに、図１０に示すように、画面を５面体の部屋構造とし、複数のメニュー（図形化されたアイコン）を部屋の床、天井又は壁に張り付けるようにしてもよい。
これにより、各メニュー毎の重要度や意味付けを行うことができる効果を奏する。
【００２５】
また、５面体の少なくとも１以上の面の奥に更に別の５面体の部屋を設けてもよい。この場合は、５面体のいずれかの面に張り付けられたメニューをクリックすることにより、このメニューに関連する下位のメニューが張り付けられた奥の部屋に画面が移動する。この選択操作を繰り返すことにより、上位のメニューから下位のメニューまで関連するメニューを順番に選択することができる。
このように、関連するメニューが同一の部屋の各面に配置されるので、複数のメニューの中から所望のメニューを簡単に選択することができる効果を奏する。さらに、各部屋を渡り歩くことにより、各メニューの階層関係を把握できる効果を奏する。
【００２６】
また、画面を複数の部屋に分割し、表示対象の部屋の選択を受け付けるようにしてもよい。
例えば、画面を２つの部屋に分割する場合、左側の部屋には通常の電話操作に関するメニューを配置し、右側の部屋にはインターネット操作に関するメニューを配置するようにすれば、さらに詳細に各メニュー毎の重要度や意味付けを行うことができる効果を奏する。
【００２７】
また、初期段階では全メニューを画面上に３次元配置し、任意の画面領域のズーム表示を受け付けるようにしてもよい。
これにより、全メニューを把握して、選択する可能性のあるメニュー群を選択し、その後、そのメニュー群の表示を見易くすることができるため、メニュー選択の容易化を図ることができる効果を奏する。
【００２８】
実施の形態６．
上記実施の形態１〜５では、特に言及していないが、携帯情報端末が複数のアプリケーションを同時に実行することができる場合、図１１に示すように、現在動作中のアプリケーションを多面体の面に張り付けて表示するようにしてもよい。
図１１の例では、現在メールの受信と電話操作を行っていることを示している。
これにより、現在動作中のアプリケーションを容易に把握することができる効果を奏する。
【００２９】
実施の形態７．
上記実施の形態６では、現在動作中のアプリケーションを多面体の面に張り付けて表示するものについて示したが、複数のファイルの関連性を認定することにより、図１２に示すように、相互に関連性が認められるファイルを多面体の面に張り付けて表示するようにしてもよい。
図１２の例では、ある友達に関連するファイル（画像ファイル、電話番号及びメールアドレスのファイル、メールファイル）を多面体の面に張り付けている。
これにより、相互に関連性が認められるファイルを容易に把握することができる効果を奏する。
【図面の簡単な説明】
【００３０】
【図１】この発明の実施の形態１による携帯情報端末を示す構成図である。
【図２】この発明の実施の形態１によるメニュー表示方法を示すフローチャートである。
【図３】メニュー選択画面を示す説明図である。
【図４】メニュー選択時におけるメニュー選択画面の変化を示す説明図である。
【図５】選択部３が任意のメニューの選択を受け付けて上位のメニューから下位のメニューに移行する際の表示状態の遷移を示す説明図である。
【図６】選択部３が任意のメニューの選択を受け付けて上位のメニューから下位のメニューに移行する際の表示状態の遷移を示す説明図である。
【図７】メニュー選択画面を示す説明図である。
【図８】メニュー選択画面を示す説明図である。
【図９】メニュー選択画面を示す説明図である。
【図１０】メニュー選択画面を示す説明図である。
【図１１】メニュー選択画面を示す説明図である。
【図１２】メニュー選択画面を示す説明図である。
【図１３】従来のメニュー選択画面を示す説明図である。
【符号の説明】
【００３１】
１  表示部（表示手段）、２  ディスプレイ（表示手段）、３  選択部（選択手段）、４  角度変更部（角度変更手段）、５  倍率変更部（倍率変更手段）。
【図１】
2007095096.tif 000003
【図２】
2007095096.tif 000004
【図３】
2007095096.tif 000005
【図４】
2007095096.tif 000006
【図５】
2007095096.tif 000007
【図６】
2007095096.tif 000008
【図７】
2007095096.tif 000009
【図８】
2007095096.tif 000010
【図９】
2007095096.tif 000011
【図１０】
2007095096.tif 000012
【図１１】
2007095096.tif 000013
【図１２】
2007095096.tif 000014
【図１３】
2007095096.tif 000015